(57)【要約】【目的】ドアとドア枠との間の隙間を利用して不正にドアが開放されるのを防止するためのドア用隙間閉塞器具を提供すること。【解決手段】デッドボルトの出入を行うドア錠を具備するドアに装着する隙間閉塞器具であって、ドアとドア枠との隙間を塞ぐ板状部材と、ドアのドア枠側端面に装着する取付部材とから構成し、取付部材は板状部材の裏面側に設けている。また、上記板状部材または取付部材の何れかの部材側にセンサーを装着し、当該センサーは、装着側の板状部材または取付部材と、非装着側の取付部材または板状部材との相対位置の変化を検知する構成としており、当該センサーからの検知信号によって作動する警報手段を設けている。【選択図】    図１
2004360272.tif 000002
【特許請求の範囲】
【請求項１】
デッドボルトの出入を行うドア錠を具備するドアに装着する隙間閉塞器具であって、ドアとドア枠との隙間を塞ぐ板状部材と、ドアのドア枠側端面に装着する取付部材とから構成し、取付部材は板状部材の裏面側に設け、上記板状部材または取付部材の何れかの部材側にセンサーを装着し、当該センサーは、装着側の板状部材または取付部材と、非装着側の取付部材または板状部材との相対位置の変化を検知する構成としており、さらに当該センサーからの検知信号によって作動する警報手段を設けていることを特徴とするドア用隙間閉塞器具。
【請求項２】
板状部材の裏面側に装着する取付部材を、装着状態における両者の断面形状を略Ｔ字状若しくは断面略Ｌ字状となるように固定していると共に、取付部材側にセンサーを設け、当該センサーの感知部を板状部材に対して接触若しくは非接触状態にて検知可能に設けており、板状部材に外力が加わって両者の相対位置が変化するのを検出可能に構成していることを特徴とする請求項１記載のドア用隙間閉塞器具。
【請求項３】
センサーからの検知信号によって作動する警報手段として、音声発生装置、発光装置、または気体若しくは液体噴出装置である請求項１または２記載のドア用隙間閉塞器具。
【発明の詳細な説明】
【０００１】
【発明の属する技術分野】
この発明は、ドアとドア枠との隙間に工具を差し込んでデッドボルトを機能不良とすることによりドアを不正開放する行為を防止するためのドア用隙間閉塞器具に関する。
【０００２】
【従来の技術及び発明が解決しようとする課題】
近年、玄関ドア等を不正開放して侵入する犯罪が頻発しているが、不正侵入の方法としてはドア錠の不正解錠が大半を占めている。このドア錠の不正解錠に対しては、種々の防止構造が提供されており、例えば、ドア錠をカバーで覆う構成のものが開示されている（特許文献１参照）。
しかしながら、ドア錠をカバーで覆う構成とした場合には、ドア錠そのものに対する不正解錠については防止できるものの、ドアとドア枠の隙間から工具を差し込んでドア錠のデッドボルトを無理矢理後退させて機能不良とすることにより、ドアを不正開放する手口に対しては有効な防止手段ではなかった。
【０００３】
上記不正開放手口は、ドアとドア枠との間に生じた隙間を利用して、バール等の工具を用いてドアの外側からデッドボルトを後退させて不正解錠を行うもので、ドアとドア枠との間には必ず隙間が生じる構造となっていてその隙間に着目して不正侵入が行われているものであるが、この隙間を塞ぐ器具としてはドア端面に装着する板状部材が提供されているにすぎなかった。
このような板状部材は、ドアとドア枠との隙間を塞ぐことができるけれども、当該板状部材を変形させて不正侵入を行う行為に対して有効に防止することができないという欠点があった。
【０００４】
そこで、この発明は、ドアとドア枠との間の隙間を利用してドアが不正に開放されるのを防止するためのドア用隙間閉塞器具を提供することを目的としている。
【０００５】
【特許文献１】
特開２００２−３４９１０４号公報
【０００６】
【課題を解決するための手段及び発明の効果】
上記目的を達成するため、この発明のドア用隙間閉塞器具としては、デッドボルトの出入を行うドア錠を具備するドアに装着する隙間閉塞器具であって、ドアとドア枠との隙間を塞ぐ板状部材と、ドアのドア枠側端面に装着する取付部材とから構成し、取付部材は板状部材の裏面側に設け、上記板状部材または取付部材の何れかの部材側にセンサーを装着し、当該センサーは、装着側の板状部材または取付部材と、非装着側の取付部材または板状部材との相対位置の変化を検知する構成としており、さらに当該センサーからの検知信号によって作動する警報手段を設けていることを特徴としている。
【０００７】
上記構成のドア用隙間閉塞器具は、板状部材によってドアとドア枠との隙間を塞ぐことができるので、その隙間からデッドボルトに対して不正に操作する行為を未然に防止することができる。
また、板状部材に対して不正な外力が加えられることによって板状部材と取付部材との相対位置が変化すると、センサーから検知信号を出力させることができ、この検知信号に基づいて警報手段を動作させることができるので、異常の発生を報知することができ、不審者に対する防衛や、周囲への警報を発することができ、不正解錠に対する防衛となる。
【０００８】
この発明の請求項２記載のドア用隙間閉塞器具としては、板状部材の裏面側に装着する取付部材を、装着状態における両者の断面形状を略Ｔ字状若しくは断面略Ｌ字状となるように固定していると共に、取付部材側にセンサーを設け、当該センサーの感知部を板状部材に対して接触若しくは非接触状態にて検知可能に設けており、板状部材に外力が加わって両者の相対位置が変化するのを検出可能に構成していることを特徴としている。
【０００９】
この構成のドア用隙間閉塞器具では、板状部材と取付部材とを両者の断面形状が略Ｔ字状若しくは断面略Ｌ字状となるように固定しているので、取付部材をドアに固定することによって、板状部材は上記の隙間を確実に閉塞することができると共に、両者の位置関係を直角に設けることができるため、両者の相対位置が変化するのをセンサーが確実に検出することができる。センサーを固定側となる取付部材側に設けることにより、板状部材の位置変化を確実に検出することができる。センサーは板状部材に接触状態で検知する構成のもの、若しくは非接触状態で検知するもののいずれでも採用できる。
【００１０】
この発明の請求項３記載のドア用隙間閉塞器具としては、センサーからの検知信号によって作動する警報手段として、音声発生装置、発光装置、または気体若しくは液体噴出装置であることを特徴としている。
上記構成のドア用隙間閉塞器具では、センサーが異常を検出した際に作動する警報手段は、音声を発生させたり、発光させたり、または気体若しくは液体を噴出させたりすることができるので、警報の要求度合いに応じて警報手段を適宜選択することができる。
【００１１】
特に、液体噴出装置を具備することにより、例えば、蛍光塗料を含む液体を用いることによって、この警報手段が作動して蛍光塗料を不審者に対して噴出させることにより、不審者に対して証拠を残すことができ、不審者の検挙等にも貢献することができる。
また、臭気を含む気体を噴出させる構成とすると、ドア付近を不審者が作業できないような雰囲気にすることができる。
【００１２】
【発明の実施の形態】
次いで、この発明の実施の形態を図面を参照して説明する。図１はこの発明の実施態様を示す斜視図、図２は正面図、図３および図４は側面図、図５は断面図である。
この発明の実施の形態の一例としてのドア用隙間閉塞器具１は、ドアＤとドア枠Ｆとの隙間を閉塞する部材としての板状部材１０と、この板状部材１０をドアＤの端部に装着するための取付部材２０とを具備している。
【００１３】
板状部材１０は、ドアＤとドア枠Ｆとの隙間を閉塞する細幅の板状部材にて形成しており、ドア錠Ｌが取付けられた位置の外側に装着可能なものである。この板状部材１０には、ドア側となる裏面側に、板状部材１０に対して断面Ｔ字状となるように取付部材２０を固定している。
取付部材２０は、板状部材にて構成していると共に、板状部材の上部と下部とにドアＤに対する取付孔２１を形成している。この取付孔２１は、ドア錠Ｌの装着用ボルトＢを利用してドアＤの端面に取付けを行うことができるものであり、ドア錠Ｌの種類に合わせて取付位置を選択できるように複数個所に形成している。また、取付部材２０の中央部分には切欠き２２を形成してあり、ドア錠ＬのデッドボルトＬ１の作動を妨げないように構成している。
【００１４】
上記実施の形態では、板状部材１０および取付部材２０は、金属材料により両者を一体形成しており、取付部材２０を装着することにより、ドアＤの表面側に板状部材１０が装着され、ドアＤとドア枠Ｆとの隙間を閉塞するドア用隙間閉塞器具１が装着される。
なお、板状部材１０は、金属製で作成した場合には合成樹脂製のカバー１５を装着しておくことにより、外観上の体裁を良くすることができる。
【００１５】
また、板状部材１０の端縁１０ａはドアＤ表面側に緩やかにアール状になっていて、この端縁１０ａドアＤ表面との間に隙間が生じないように構成している。
そして、このドア用隙間閉塞器具１には、板状部材１０のドアＤ側（裏面側）にセンサー３０を装備している。このセンサー３０は、板状部材１０と取付部材２０との相対位置の変化を検知することができるもので、上記部材の何れかの側に装着しておき、検知部３１を他方の部材側に取付けることができる。この実施の形態では、センサー３０を取付部材２０側に装着すると共に、検知部３１を板状部材１０に当接させた状態に設けている。
【００１６】
したがって、板状部材１０と取付部材２０とによって断面略Ｔ字状となった位置関係が変化した場合には上記検知部３１が検知してセンサー３０が検知信号を出力する。
例えば、板状部材１０と取付部材２０との組合せ状態を上記したように断面略Ｔ字状となるように直角に形成しておくことにより、位置変化を確実に検出することができるようになり、板状部材１０に外力が加えられて位置関係が僅かに崩れた時にも確実に検知信号を出力するように構成することができる。
【００１７】
板状部材１０と取付部材２０は、上記した断面略Ｔ字状に固定する形態の他、ドア枠Ｆが細い場合等には、板状部材１０のドア枠Ｆ側を狭くして断面Ｌ字状に構成することもできる。板状部材１０と取付部材２０とを断面Ｌ字状に構成した場合でも両者は直角となっておりセンサー３０による検知は確実になされるものである。なお、板状部材１０と取付部材２０とは上記したように直角となっていることによって、センサー３０による検知を確実なものとすることができるが、板状部材１０と取付部材２０とが別体であれば、互いの位置関係の変化を検知することができるので、断面略Ｔ字状若しくは断面Ｌ字状となる構成以外の態様も採用することができる。
【００１８】
上記センサー３０に電気的に接続された警報手段は、この実施の形態では、蛍光塗料噴出装置４０であり、上記センサー３０の検知信号によって蛍光塗料を噴出することができるものである。蛍光塗料噴出装置４０は、蛍光塗料の保存タンク、吐出用ポンプ、パイプ４０ｐにて構成しており（パイプを除いて図示せず）、吐出用ポンプの作動によりパイプ４０ｐから蛍光塗料を噴出させることができる。
【００１９】
なお、上記蛍光塗料噴出装置４０は、公知の内蔵用電源（図示せず）を用いることができ、例えば、ボタン型電池等によって駆動させることができるものであり、センサー３０に対しては当該噴出装置４０側から給電を行っている。この内蔵用電源には、電源スイッチを装備することにより、警報動作を作動させるときだけ電源を供給することができる。電源スイッチとしては、板状部材１０の内側に作動のＯＮ・ＯＦＦを切り換えるスイッチを設けておいたり、デッドボルトが施錠位置に進出した際に電源が入るように構成したり、ドア錠Ｌの回転に連動させて電源のＯＮ−ＯＦＦを行う構成としたりすることができる。また、電源状態を表示するため、作動時を表示する赤色表示部、電池の消耗を示す黄色表示部等を設けることは適宜なし得るものである。
【００２０】
上記ドア用隙間閉塞器具１は、ドア錠Ｌの取付ボルト等を利用して、取付部材２０をドアＤのドア枠Ｆ側端面に装着するものであり、取付部材２０を固定することにより、板状部材１０をドアＤ表面側に設置することができる。これにより、ドアＤを閉めた状態でドアＤとドア枠Ｆとの隙間を閉塞することができ、従来懸念されていた上記隙間からバール等の工具を用いてなされるドアＤの不正開放を確実に防止することができる。
【００２１】
そして、バール等の工具による不正開放が試みられて板状部材１０に対して外力が加わることによって板状部材１０が変形すると、板状部材１０と取付部材２０との相対位置が変化する。このため、取付部材２０側に装着しているセンサー３０が検知部３１を介して異常を検知し検知信号を出力する。この検知信号によって警報手段としての蛍光塗料噴出装置４０が動作して内部に保有している蛍光塗料をパイプ４０ｐを通して噴出させることができる。
【００２２】
これにより、不正開放を試みている不審者に対して蛍光塗料を付着させることもでき、犯罪防止に寄与すると共に、蛍光塗料が目印となって犯罪者の検挙にも貢献することができるものである。
なお、上記蛍光塗料を噴出させるパイプ４０ｐは、この実施の形態では、その先端を上下方向に向けた構成としているが、パイプ４０ｐの先端を水平方向に向けたり、板状部材１０の適宜個所に小さな孔を形成して正面側に噴出させるように構成することもできる。
【００２３】
また、警報手段としては、蛍光塗料噴出装置４０の他、発光装置、音声装置等の警報装置が採用できると共に、これら装置を組合せた構成を採用することができる。発光装置としては赤色ランプを点滅させる構成や、音声装置としては９０デシベル以上の音量を出すことができるサイレン等の構成を採用することもできる。さらに、噴出装置に内蔵する物質としては、臭気を含む気体等でも良く、また液体としては、上記のような蛍光塗料等の他、容易に噴出させることができ、しかも不審者に付着して残る物質であれば、種々の物質を採用することができる。
【００２４】
さらに、警報手段の例としては、検知部から無線信号を発するようにして、受信部を離れたところに設置して警報手段を別の場所にて作動させることができ、また、受信部には、警備会社への通報手段を内蔵させる構成とすることもできる。
【図面の簡単な説明】
【図１】この発明の実施の態様を示すドア用隙間閉塞器具の斜視図である。
【図２】上記ドア用隙間閉塞器具の正面図である。
【図３】上記ドア用隙間閉塞器具の側面図である。
【図４】上記ドア用隙間閉塞器具の側面図である。
【図５】上記ドア用隙間閉塞器具の断面図である。
【符号の説明】
１        ドア用隙間閉塞器具
１０      板状部材
２０      取付部材
３０      センサー
４０      警報手段
Ｄ        ドア
Ｆ        ドア枠
Ｌ        ドア錠
Ｌ１        デッドボルト
【図１】
2004360272.tif 000003
【図２】
2004360272.tif 000004
【図３】
2004360272.tif 000005
【図４】
2004360272.tif 000006
【図５】
2004360272.tif 000007